(57)【要約】【課題】    本発明は、磁石を確実に保持できると共に、取り外しが容易な磁石の取り付け構造を提供する。【解決手段】    磁石の取り付け構造は、第１の面状ファスナー１、１と、この第１の面状ファスナー１、１が取り付けられた本体２と、第１の面状ファスナー１、１と本体２との間に形成された収納室３と、この収納室３に臨むように第１の面状ファスナー１、１に形成された取り入れ口４と、この取り入れ口４を介して収納室３に収納された磁石５と、第１の面状ファスナー１、１に係止して、取り入れ口４を覆う第２の面状ファスナー６、６とを備えているものである。【選択図】図３
2010030644.tif 000002
【特許請求の範囲】
【請求項１】
第１の面状ファスナーと、
この第１の面状ファスナーが取り付けられた本体と、
この取り付けは、前記第１の面状ファスナーの周縁部を前記本体に接合したものであり、
前記第１の面状ファスナーと前記本体との間に形成された収納室と、
この収納室に臨むように前記第１の面状ファスナーに形成された取り入れ口と、
この取り入れ口を介して前記収納室に収納された磁石と、
前記第１の面状ファスナーに係止して、前記取り入れ口を覆う第２の面状ファスナーとを備えていることを特徴とする磁石の取り付け構造。
【請求項２】
第１の面状ファスナーは、平面視、略四角形状であり、
取り入れ口は、前記第１の面状ファスナーに形成された切り込みである
ことを特徴とする請求項１記載の磁石の取り付け構造。
【請求項３】
第１の面状ファスナーは、２個の面状ファスナーを並設した、平面視、略四角形状をなすものであり、
取り入れ口は、前記２個の面状ファスナーの合わせ目である
ことを特徴とする請求項１記載の磁石の取り付け構造。
【請求項４】
第１の面状ファスナーと、
この第１の面状ファスナーが取り付けられた袋本体と、
この取り付けは、前記第１の面状ファスナーの周縁部を前記袋本体に接合したものであり、
前記第１の面状ファスナーと前記袋本体との間に形成された収納室と、
この収納室に臨むように前記第１の面状ファスナーに形成された取り入れ口と、
この取り入れ口を介して前記収納室に収納された磁石と、
前記第１の面状ファスナーに係止して、前記取り入れ口を覆う第２の面状ファスナーと、
前記袋本体の一方の端部に設けられた開口部の全部又は一部を開閉する蓋体とを備えている
ことを特徴とする袋。
【請求項５】
袋本体の他方の端部は、折り返されて折り返し部を形成し、
該折り返し部の裏面に第２の面状ファスナーが取り付けられ、
この第２の面状ファスナーに対向する位置の前記袋本体の部位に第１の面状ファスナーが取り付けられ、
前記折り返し部の両側部が前記袋本体に接合されている
ことを特徴とする請求項４記載の袋。
【請求項６】
袋本体の他方の端部は、折り返されて折り返し部を形成し、
該折り返し部の裏面に第１の面状ファスナーが取り付けられ、
この第１の面状ファスナーに対向する位置の前記袋本体の部位に第２の面状ファスナーが取り付けられ、
前記折り返し部の両側部が前記袋本体に接合されている
ことを特徴とする請求項４記載の袋。
【請求項７】
開口部が袋本体の下部になるように取り付けられる
ことを特徴とする請求項５又は請求項６記載の袋。
【発明の詳細な説明】
【技術分野】
【０００１】
本発明は、磁石の取り付け構造及び袋に係り、特に、磁石を確実に保持できると共に、取り外しが容易な磁石の取り付け構造及び袋に関する。
【背景技術】
【０００２】
袋の開口部を閉じるために設けた磁石を備えた袋がある（例えば、特許文献１参照）。磁石を内蔵した袋が生産された後、金属異物の検査が必要で、磁石を内蔵した袋は、磁石に金属異物のセンサが反応するため、磁石を内蔵した状態では、検査ができない。
そのため、磁石を内在しない袋で検査し、検査後、袋に磁石を装着するようにするが、上記の袋に磁石を装着する場合、袋の端部を折り返すようにして、該折り返し部内に磁石を内在するが、磁石の装着が迅速に行えないばかりか、装着後、磁石の取り外し、その後、再度の取り付けが容易でないという問題点があった。
【特許文献１】特開平５−５６８０９号公報
【発明の開示】
【発明が解決しようとする課題】
【０００３】
本発明は、上記問題点を除去するようにした磁石の取り付け構造及び袋を提供することを目的としている。
【課題を解決するための手段】
【０００４】
前記した目的を達成するための請求項１記載の磁石の取り付け構造は、第１の面状ファスナーと、この第１の面状ファスナーが取り付けられた本体と、この取り付けは、前記第１の面状ファスナーの周縁部を前記本体に接合したものであり、前記第１の面状ファスナーと前記本体との間に形成された収納室と、この収納室に臨むように前記第１の面状ファスナーに形成された取り入れ口と、この取り入れ口を介して前記収納室に収納された磁石と、前記第１の面状ファスナーに係止して、前記取り入れ口を覆う第２の面状ファスナーとを備えているものである。
【０００５】
また、請求項２記載の磁石の取り付け構造は、請求項１記載の磁石の取り付け構造において、第１の面状ファスナーは、平面視、略四角形状であり、取り入れ口は、前記第１の面状ファスナーに形成された切り込みである。
【０００６】
また、請求項３記載の磁石の取り付け構造は、請求項１記載の磁石の取り付け構造において、第１の面状ファスナーは、２個の面状ファスナーを並設した、平面視、略四角形状をなすものであり、取り入れ口は、前記２個の面状ファスナーの合わせ目である。
【０００７】
また、請求項４記載の袋は、第１の面状ファスナーと、この第１の面状ファスナーが取り付けられた袋本体と、この取り付けは、前記第１の面状ファスナーの周縁部を前記袋本体に接合したものであり、前記第１の面状ファスナーと前記袋本体との間に形成された収納室と、この収納室に臨むように前記第１の面状ファスナーに形成された取り入れ口と、この取り入れ口を介して前記収納室に収納された磁石と、前記第１の面状ファスナーに係止して、前記取り入れ口を覆う第２の面状ファスナーと、前記袋本体の一方の端部に設けられた開口部の全部又は一部を開閉する蓋体とを備えているものである。
【０００８】
また、請求項５記載の袋は、請求項４記載の袋において、袋本体の他方の端部は、折り返されて折り返し部を形成し、該折り返し部の裏面に第２の面状ファスナーが取り付けられ、この第２の面状ファスナーに対向する位置の前記袋本体の部位に第１の面状ファスナーが取り付けられ、前記折り返し部の両側部が前記袋本体に接合されているものである。
【０００９】
また、請求項６記載の袋は、請求項４記載の袋において、袋本体の他方の端部は、折り返されて折り返し部を形成し、該折り返し部の裏面に第１の面状ファスナーが取り付けられ、この第１の面状ファスナーに対向する位置の前記袋本体の部位に第２の面状ファスナーが取り付けられ、前記折り返し部の両側部が前記袋本体に接合されているものである。
【００１０】
また、請求項７記載の袋は、請求項５又は請求項６記載の袋において、開口部が袋本体の下部になるように取り付けられるものである。
【発明の効果】
【００１１】
請求項１記載の磁石の取り付け構造によれば、取り入れ口を介して収納室に磁石を簡易且つ迅速に収納することができ、しかも、第１の面状ファスナーに第２の面状ファスナーを係止して、取り入れ口を覆うことにより、取り入れ口を介して収納室に収納された磁石を確実に保持することができ、更に、該磁石を取り出したいときには、第１の面状ファスナーに係止した第２の面状ファスナーを離脱させ、取り入れ口を介して収納室に収納された磁石を容易に取り出すことができる。
【００１２】
また、請求項４記載の袋によれば、取り入れ口を介して収納室に磁石を簡易且つ迅速に収納することができ、しかも、第１の面状ファスナーに第２の面状ファスナーを係止して、取り入れ口を覆うことにより、取り入れ口を介して収納室に収納された磁石を確実に保持して、該磁石を介して金属部材に袋を付着させることができ、更に、袋の洗濯に当たって、該磁石を取り出すときには、第１の面状ファスナーに係止した第２の面状ファスナーを離脱させ、取り入れ口を介して収納室に収納された磁石を容易に取り出すことができる。
【００１３】
また、請求項５又は６記載の袋によれば、前述した請求項４記載の発明の効果に加え、折り返し部の両側部が袋本体に接合されているため、収納室に収納された磁石をより確実に保持することができる。
【００１４】
また、請求項７記載の袋によれば、上述した請求項５又は請求項６記載の発明の効果に加え、磁石を介して金属部材に袋を付着させて使用した場合、吊り下げた状態で、蓋体を開閉して、袋本体への物品の取り入れ又は取り出しを行うことができる。
【発明を実施するための最良の形態】
【００１５】
本発明の一実施例の磁石の取り付け構造及び袋を図面を参照して説明する。
図１乃至図８において、Ａは、本発明の一実施例の「磁石の取り付け構造」を採用した袋を示す。
この「磁石の取り付け構造」は、図３乃至図５に示すように、第１の面状ファスナー１、１と、この第１の面状ファスナーが取り付けられた本体（袋本体）２と、第１の面状ファスナー１、１と本体（袋本体）２との間に形成された収納室３、３とで、概略的に構成されている。
なお、第１の面状ファスナー１、１の本体（袋本体）２への取り付けは、第１の面状ファスナー１、１の周縁部を本体（袋本体）２に接合したものであり、接合は、例えば、縫製（縫製の部位を図４に破線で示す。）である。
４、４は、収納室３、３に臨むように第１の面状ファスナー１、１に形成された取り入れ口で、取り入れ口４、４は、例えば、第１の面状ファスナー１、１に形成された切り込みである。また、第１の面状ファスナー１、１は、平面視、略四角形状となっている。
磁石５、５は、取り入れ口４、４を介して収納室３、３に収納されるようになっている。
また、６、６は、第１の面状ファスナー１、１に係止して、取り入れ口４、４を覆う第２の面状ファスナーである。
【００１６】
従って、上述した「磁石の取り付け構造」によれば、第１の面状ファスナー１、１に第２の面状ファスナー６、６を係止して、取り入れ口４、４を覆うことにより、取り入れ口４、４を介して収納室３、３に収納された磁石５、５を確実に保持することができ、また、洗濯等により該磁石５、５を取り出したいときには、取り入れ口４、４が開放するように、第１の面状ファスナー１、１に係止した第２の面状ファスナー６、６を離脱させ、取り入れ口４、４を介して収納室３、３に収納された磁石５、５を容易に取り出すことができる。
【００１７】
なお、第１の面状ファスナー１、１をそれぞれ１個の面状ファスナーで構成したが、本願発明にあっては、これに限らず、図示しないが、１個の第１の面状ファスナー１を２個の面状ファスナーを並設した、平面視、略四角形状をなす構成のものでも良いし、かかる場合の取り入れ口４、４は、図示しないが、前記２個の面状ファスナーの合わせ目で構成することができる。
【００１８】
また、７は、袋本体２の一方の端部に設けられた開口部２ａの一部を開閉する蓋体で、８、８は、袋本体２に設けられた第３の面状ファスナーで、９、９は、第３の面状ファスナー８、８に係止、非係止する第４の面状ファスナーである。
なお、本実施例の蓋体７は、開口部２ａの一部を開閉するものであるが、本願発明にあっては、これに限らず、図示しないが、蓋体７は、開口部２ａの全部を開閉するものであっても良い。
【００１９】
また、袋本体２の他方の端部は、図１及び図３に示すように、折り返されて折り返し部１０が形成され、該折り返し部１０の裏面に第２の面状ファスナー６、６が取り付けられ、この第２の面状ファスナー６、６に対向する位置の袋本体２の部位に第１の面状ファスナー１、１が取り付けられ、折り返し部１０の両側部が袋本体２に接合（例えば、縫製）されている。接合部位を図１、図２及び図６に破線で示した（符号Ｘ、Ｙ参照）。 
なお、袋Ａの場合、第１の面状ファスナー１、１に第２の面状ファスナー６、６を係止して、取り入れ口４、４を覆うことにより、取り入れ口４、４を介して収納室３、３に収納された磁石５、５を確実に保持して、該磁石５、５を介して金属部材（例えば、図８記載の冷蔵庫３０）に袋Ａを付着させて、袋Ａの機能（例えば、袋本体２への物品４０の出し入れ）を発揮させることができ、また、袋Ａの製造過程においての金属異物の検査、袋Ａの洗濯に当たって、該磁石５、５を取り出すときには、第１の面状ファスナー１、１に係止した第２の面状ファスナー６、６を離脱させ、取り入れ口４、４を介して収納室３、３に収納された磁石５、５を容易に取り出すことができ、しかも、接合部位Ｘ、Ｙにより、収納室３、３に収納された磁石５、５は、より確実に保持することができ、簡単に、磁石５、５が離脱するのを防ぎ、例えば、幼児が誤って口に入れるのを防止することができる。
なお、特に、袋本体２に金属等の異物がないことを検査した後、磁石５、５を袋本体２に組み込めることができ、簡易且つ迅速に磁石５、５を内蔵した袋Ａを製造することができる。
【００２０】
また、上述した実施例においては、袋本体２の他方の端部は、折り返されて折り返し部１０が形成され、該折り返し部１０の裏面に第２の面状ファスナー６、６が取り付けられ、この第２の面状ファスナー６、６に対向する位置の袋本体２の部位に第１の面状ファスナー１、１が取り付けられ、折り返し部１０の両側部が袋本体２に接合にしたが、本願発明は、これに限らず、第１の面状ファスナー１、１と第２の面状ファスナー６、６の取り付け部位を逆になるように構成しても良い。
即ち、図９に示すように、折り返し部１０の裏面に第１の面状ファスナー１、１が取り付けられ、この第１の面状ファスナー１、１に対向する位置の袋本体２の部位に第２の面状ファスナー６、６が取り付けられるようにしても良い。
【図面の簡単な説明】
【００２１】
【図１】図１は、本発明の一実施例の袋の概略的斜視図である。
【図２】図２は、図１の袋の開口部より物品を挿入する状態の概略的斜視図である。
【図３】図３は、図１の袋の一部を展開して示す概略的斜視図である。
【図４】図４は、図３の一部を拡大して示す概略的一部拡大斜視図である。
【図５】図５は、図３の５−５線による概略的断面図である。
【図６】図６は、図１の袋の開口部を開いた状態の概略的斜視図である。
【図７】図７は、図１の袋の開口部から物品を取り出す状態の概略的斜視図である。
【図８】図８は、図１の袋を冷蔵庫の側壁に磁石を介して取り付けた状態の概略的斜視図である。
【図９】図９は、図４と異なる他の実施例の概略的一部拡大斜視図である。
【符号の説明】
【００２２】
１    …………第１の面状ファスナー
２    …………本体（袋本体）
３    …………収納室
４    …………取り入れ口
５    …………磁石
６    …………第２の面状ファスナー
【図１】
2010030644.tif 000003
【図２】
2010030644.tif 000004
【図３】
2010030644.tif 000005
【図４】
2010030644.tif 000006
【図５】
2010030644.tif 000007
【図６】
2010030644.tif 000008
【図７】
2010030644.tif 000009
【図８】
2010030644.tif 000010
【図９】
2010030644.tif 000011